(57)【特許請求の範囲】
【請求項１】
端末装置からの現在又は過去の体調データをサーバ側が受信した場合に、当該サーバ側が当該体調データと共に既に入力された体調データから体調推移データを生成し、
前記サーバ側が、前記体調推移データにおいて、受信した前記体調データを含む連続した所定日間の複数の体調データを現体調データ群（α）とし、受信した前記体調データを含まない全ての既入力の体調データで、前記現体調データ群（α）と同じ所定日間の複数の体調データを過去体調データ群（β）として扱い、前記全ての既入力の体調データにおいて取り得る前記過去体調データ群（β）を現体調データ群（α）とそれぞれ比較して、現体調データ群に最も近似する所定の過去体調データ群（βｘ）を検出し、
当該最も近似する過去体調データ群（βｘ）の中で最新日付を有する体調データの次の体調データ（γ）を特定し、当該特定された体調データ（γ）を自己相対体調データとして判別結果に付加し、
当該判別結果を体調予想として前記サーバ側から前記端末装置側へ送信することを
特徴とする体調維持補助システム。
【請求項２】
請求項１記載の体調維持補助システムにおいて、
利用者の必要に応じて及び／又は予め設定された条件に応じて前記入力された体調データ及び／又は体調予想を任意の送信先に送信することを
特徴とする体調維持補助システム。
【請求項３】
請求項１または２記載の体調維持補助システムにおいて、
サーバが、体調予想を作成する際に、利用者と近似する利用者の体調データを使用することを
特徴とする体調維持補助システム。
【請求項４】
請求項１ないし３いずれかに記載の体調維持補助システムにおいて、
前記端末装置に全地球測位システムのレシーバを備え、
前記端末装置が、全地球測位システムを用いて利用者の運動量を求めて前記自己の体調データとすることを
特徴とする体調維持補助システム。
【発明の詳細な説明】
【０００１】
【発明の属する技術分野】
本発明は、入力された体調状態と今までの継続的に入力された体調データとに基づいて入力された体調状態以後の体調予想を知らせる体調維持補助システムに関する。
【０００２】
【従来の技術】
自己の健康を気にかけている人は少なからずいるが、実際にその考えに基づいて健康管理を怠らずに行っている者は少ない。特に、仕事を持つ社会人は仕事による時間の制限もあり、幾分かの時間を必要とする健康管理を行いながら毎日を過ごすことは難しい。そこで、会社が定期的な健康診断を行い、また、年齢によっては人間ドッグでの精密な検査を行い、健康診断の結果や医師との問診に基づいて健康の維持を図っている。
また、日常生活において、体調が悪くなると、若しくは、体調が悪くなる前に体調の変化に気づくと、薬局に行って市販されている薬を飲んだり、病院に行って治療してもらったり体調の回復に努めようとする。
【０００３】
【発明が解決しようとする課題】
従来、健康の維持は、前記のように、年に一度若しくは数回の健康診断における健康診断の結果や医師の問診の結果に基づいて図られており、この健康診断以後に生じた病気は、症状が現われてきて自分若しくは周りの人が気づく以外に少なくとも次の健康診断までは、早期発見及び発見後の対処ができないと課題を有する。また、人間ドッグはがんや高血圧、糖尿病などの早期発見を目的としており、また、健康診断も長い目での健康維持を目的としており、日常生活の上で誰しもに生じる風邪、腹痛等の病気を対象としたものではないため、本人若しくは周りの人が気づく以外に風邪、腹痛等の病気を事前に防止することができないという課題を有する。
【０００４】
本発明は上記課題を解決するためになされ、頻繁に病院に行くことなしに、自分一人で可能な検査の検査結果である体調データにより風邪、腹痛等の病気までも事前に予測して、病気の防止・抑止を促す体調維持補助システムを提供することを目的とする。
【０００５】
【課題を解決するための手段】
本発明に係る体調維持補助システムは、端末装置からの現在又は過去の体調データをサーバ側が受信した場合に、当該サーバ側が当該体調データと共に既に入力された体調データから体調推移データを生成し、前記サーバ側が、前記体調推移データにおいて、受信した前記体調データを含む連続した所定日間の複数の体調データを現体調データ群（α）とし、受信した前記体調データを含まない全ての既入力の体調データで、前記現体調データ群（α）と同じ所定日間の複数の体調データを過去体調データ群（β）として扱い、前記全ての既入力の体調データにおいて取り得る前記過去体調データ群（β）を現体調データ群（α）とそれぞれ比較して、現体調データ群に最も近似する所定の過去体調データ群（βｘ）を検出し、当該最も近似する過去体調データ群（βｘ）の中で最新日付を有する体調データの次の体調データ（γ）を特定し、当該特定された体調データ（γ）を自己相対体調データとして判別結果に付加し、当該判別結果を体調予想として前記サーバ側から前記端末装置側へ送信するものである。このように本発明においては、利用者が端末装置を利用して体調データを生成してサーバに送信し、サーバが受信した体調データと既に格納されている体調データとを時系列的に編集し、時系列的に編集された複数の体調データから体調推移データを生成し、この体調推移データにより受信した体調データに基づいて体調予想を行って、この体調予想を端末装置に送信しているので、利用者は任意の場所で任意の時間に体調データを端末装置から入力してサーバに問い合わせて体調予想を請うことができる。
【０００６】
また、本発明に係る体調維持補助システムは必要に応じて、利用者の必要に応じて及び／又は予め設定された条件に応じて前記入力された体調データ及び／又は体調予想を任意の送信先に送信するものである。このように本発明においては、利用者が端末装置を利用して体調データを生成してサーバに送信し、サーバが受信した体調データと既に格納されている体調データとを時系列的に編集し、時系列的に編集された複数の体調データから体調推移データを生成し、この体調推移データにより受信した体調データに基づいて体調予想を行って、この体調予想を端末装置に送信すると共に任意の送信先に送信しているので、利用者は任意の場所で任意の時間に体調データを端末装置から入力してサーバに問い合わせて体調予想を請うことができると共に、例えば任意の送信先に医療機関を含めることで、体調データ及び体調予想を医療機関に送信して専門家の意見を聞くことができる。
【０００７】
また、本発明に係る体調維持補助システムは必要に応じて、サーバが、体調予想を作成する際に、利用者と近似する利用者の体調データを使用するものである。このように本発明においては、サーバが利用者の体調データ以外に本システムを利用する他の利用者のうち利用者に体格、年齢、性別等に関して近い他の利用者の体調データを用いて体調予想しているので、本システムを利用したばかりで自己の体調データの蓄積が少ない場合に比較的信頼性の高い体調予想を利用者が得ることができ、さらに、利用者の体調データ及び他の利用者の体調データを用いることにより一層の信頼性の高い体調予想を利用者が得ることができる。
【０００８】
また、本発明に係る体調維持補助システムは必要に応じて、前記端末装置に全地球測位システムのレシーバを備え、前記端末装置が、全地球測位システムを用いて利用者の運動量を求めて前記自己の体調データとするものである。このように本発明においては、全地球測位システムのレシーバを備えた端末装置により、全地球測位システムを用いて運動量を求めることができるので、予め所定の運動量を行う前の体調データを端末装置により入力し、所定の運動量を行った後の体調データをも端末装置により入力し、運動量及び運動前後の体調データにより体調の良し悪しを詳細に知ることができ、さらに、サーバが体調予想を行う場合に前記運動量を使用することでより一層精確な体調予想を行うことができる。
【０００９】
【発明の実施の形態】
（本発明の第１の実施形態）
本発明の第１の実施形態に係る体調維持補助システムについて、図１ないし図５に基づいて説明する。図１は本実施形態に係る体調維持補助システムの全体ブロック図、図２は本実施形態に係る体調維持補助システムにおける体調データ、図３は本実施形態に係る体調維持補助システムにおける体調推移データ、図４は本実施形態に係る体調維持補助システムの動作フロチャート、図５は本実施形態に係る体調維持補助システムの判別処理の詳細動作フロチャートである。
【００１０】
前記図１において、本実施形態に係る体調維持補助システムは、被験者の体調に関する体調データを検出し、この体調データに利用者の名前、生年月日、識別ＩＤ等の付加情報を付加し、この体調データをサーバに送信する携帯端末１と、この携帯端末１で送信された体調データを受信し、受信した体調データ及び既に格納されている体調データに基づいて体調推移データを生成し、この生成された体調推移データを判別し、判別結果を体調予想として携帯端末１に送信すると共に体調データを識別ＩＤ毎にデータベースに格納し、さらに、携帯端末１からの指示により必要に応じて、他の送信先に体調データ、体調予想、体調推移データを送信するサーバ２とを備える構成である。前記携帯端末１は、携帯電話で形成され、この携帯電話のアンテナ部分に内蔵されている被験者の体温を検出する体温センサ１１と、被験者の舌、目又は顔前面を撮影するカメラ１２と、この携帯電話に付属部品として接続されて被験者の脈拍を測定する脈拍センサ１３とを備える構成である。
【００１１】
前記携帯端末１は、被験者の体温を測定するために、耳の鼓膜から放射されている赤外線を体温センサ１１でとらえ、体温を測る耳体温計を備える。脳の体温調節を司る視床下部の温度がその鼓膜やその周辺の温度に反映されるので、鼓膜やその周辺の温度を測定する耳体温計は安定した指標である深部体温が正確に測定できる。
前記携帯端末１のカメラ１２は、ある程度の精度を有する撮影が可能であり、この撮像により、舌、目、顔前面を撮影する。この撮像データに基づく舌の画像により、舌の形及び舌の色を見て診察する舌診が可能となる。この舌診では、舌の形により代謝が悪いか否か、肝機能低下の恐れがあるか否かについて診断可能である。
【００１２】
前記サーバ２は、通信を司る通信部２２と、体調データを格納するデータベース２３と、体調推移データから判別結果を生成する制御部２１とを備え、携帯端末１からの体調データを通信部２２が受信し、制御部２１がデータベース２３に既に格納済みで、この体調データの識別ＩＤと同一の識別ＩＤを有する体調データ及び受信した体調データに基づいて体調推移データを生成し、制御部２１がこの体調推移データに基づいてどの病気の発症の危険性があるかを示す判別結果を体調予想として通信部２２を介して携帯端末１に送信すると共に、受信した体調データを識別ＩＤに基づいて格納する。
【００１３】
前記サーバ２と携帯端末１との通信は、例えば、携帯端末１が通常の携帯端末が有する通信機能により基地局（交換局も含む、以下同じ）を介してインターネット等のネットワークを経てサーバ２の通信部２２に情報を送信し、通信部２２が携帯端末１からの情報を受信し、逆に、サーバ２の通信部２２がインターネット等のネットワークを経て基地局を介して携帯端末１に情報を送信し、携帯端末１がサーバ２からの情報を受信することで行われる。以下、サーバ２と携帯端末１との通信の詳細は略し、単に、送信・受信の語句のみによって表現する。
【００１４】
本実施形態に係る体調維持補助システムの動作について説明する。まず、既に何回か利用者が携帯端末１により検査して体調データをサーバ２に送信し、このサーバ２がデータベース２３に識別ＩＤ毎に格納しているとして、説明を行う。また、健康診断や人間ドッグの結果を、体調データの形式に変換して体調データとして利用することもできる。
【００１５】
まず、利用者は、携帯端末１の体温センサ１１を用いて、耳体温計により体温を測定し、脈拍センサ１３により脈拍を測定し、カメラ１２により舌、目、顔前面を撮影する（ステップ１）。携帯端末１が利用者に氏名、生年月日、識別ＩＤ、自己判断による体調等の個人情報の入力を促し、利用者が個人情報を入力し、携帯端末１がこの個人情報を体調データに付加する（ステップ２）。個人情報、測定による測定結果、撮影による画像データにより図２に示すような体調データが生成される。ここで、検査順序はどのような順番でも構わなく、携帯端末１に決定される順序でもよいし、利用者が選択して順序を決定してもよい。また、個人情報は、予め利用者により携帯端末１に登録することもでき、さらに、一旦入力されると次回から入力を省略することもできる。
【００１６】
携帯端末１が利用者に対して体調データを外部に送信するか否かの判断を促し（ステップ３）、利用者が外部に送信する場合に携帯端末１が送信先を選択又は入力するように促す（ステップ４）。送信先が決定されると、携帯端末１が送信先に体調データを送信し（ステップ５）、サーバ２の制御部２１が通信部２２を介して送信された体調データを受信し（ステップ６）、判別処理を行う（ステップ７）。この判別処理により生成される判別結果を制御部２１が体調予想として通信部２２を介して携帯端末１に送信し（ステップ８）、携帯端末１がこの体調予想を受信して体調予想を利用者に表示する（ステップ９）。ステップ３において外部に送信しない場合、携帯端末１は内部処理を行って（ステップ１０）終了する。
【００１７】
前記ステップ７における判別処理を詳細に説明する。サーバ２の制御部２１は、通信部２２介して受信した体調データの識別ＩＤにより、既にデータベース２３に格納している同一の識別ＩＤを有する体調データを読み出し（ステップ７１）、これらの体調データより体調推移データを生成する（ステップ７２）。ここで、この体調推移データは、体調データの各要素の変化を示すものであり、具体的には単に送信された体調データと読み出した体調データを結合した離散した情報でもよく（図３参照）、若しくは、この離散した情報から変換したグラフまたは近似した計算式などの連続した情報でもよく、以降の判別結果を生成する場合に適した情報であればよい。
【００１８】
制御部２１が、体調推移データにおいて、図３に示すように、受信した体調データの日付から所定日間前の体調データから受信した体調データまでの複数の体調データを現体調データ群αとして扱い、受信した体調データを含まない全て読み出した体調データからなり、現体調データ群αと同じ日間の複数の体調データを過去体調データ群βとして扱い、この現体調データ群αと過去体調データ群βとをそれぞれの要素毎に比較して、最も近似する過去体調データ群βｘを検出する（ステップ７３）。
【００１９】
図３においては、受信した体調データを含め三日間の体調データを現体調データ群αとし、過去体調データ群βも三日間の体調データからなる。例えば、過去体調データ群β１を日付が２００２／５／６から２００２／５／８までの三日間の体調データとし、この過去体調データ群β１と現体調データ群αとを比較する。次に、過去体調データ群β２を日付が２００２／５／５から２００２／５／７までの三日間の体調データとし、この過去体調データ群β２と現体調データ群αとを比較する。以下、同様に、全ての過去体調データ群βと現体調データ群αとを比較して、最も現体調データ群αと近似する過去体調データ群βｘを検出する。
【００２０】
比較の結果、最も近似する過去体調データ群βｘが検出され、この最も近似する過去体調データ群βｘの中で最新日付を有する体調データの次の体調データγを特定し、この特定された体調データを読み出し、自己相対体調データとして判別結果に付加する（ステップ７４）。
同様に、制御部２１が、一般的な判断基準に基づいて、送信された体調データを判別する。この判別は、体調データの個々の要素と要素毎の一般的な基準値との比較を行い（ステップ７５）、比較結果を一般相対体調として判別結果に付加する（ステップ７６）。この一般的な判断基準は、格納されている他の利用者の体調データを利用することもでき、年齢、性別、体重、体脂肪率等が近似の利用者の体調データを利用することで、更に精度の高い判別結果を求めることができる。この場合、近似する利用者が少数の場合、信頼性が低いと見なして、一般的な判断基準に基づいて判別結果の一般相対体調として判別結果に付加することもできる。
【００２１】
サーバ２の制御部２１は、判別結果に自己相対体調データ及び一般相対体調を付加した後に、サーバ２が通信部２２を介して受信した体調データを識別ＩＤに基づいてデータベース２３に時系列で格納し（ステップ７７）、ステップ８に移行する。
前記ステップ１０における内部処理を詳細に説明する。携帯端末１が、一般的な判断基準に基づいて、体調データを判別する。この判別は、体調データの個々の要素と要素毎の一般的な基準値との比較を行い、比較結果を一般相対体調として利用者に表示する。ここで、携帯端末１にも利用者の体調データを継続的に格納することができる程度の記録部を備え、前記サーバ２の動作と同様に動作させることもでき、オフラインでサーバ２での体調予想と同等との体調予想を得ることができる。
【００２２】
このように本実施形態に係る体調維持補助システムよれば、利用者が携帯端末１を利用して体温、脈拍を測定し、舌、目、顔前面を撮影し、体調データを作成し、個人情報を付加してサーバ２に送信し、サーバ２の制御部２１が通信部２２を介して受信した体調データと既にデータベース２３に格納されている体調データにより体調推移データを生成し、この体調推移データ内の特定された体調データの体調を参照して自己相対体調データとして、また、体調データの個々の要素と一般的な判断基準とを比較して比較結果を一般相対体調として判別結果に付加し、送信元である携帯端末１に体調予想として送信しているので、利用者は任意の場所で任意の時間に測定・撮影してサーバ２に問い合わせて体調予想を請うことができ、また、必要な時には医療機関に体調データ及び体調予想を送信して専門家の意見を聞くことができる。
【００２３】
（本発明のその他の実施形態）
なお、本実施形態に係る体調維持補助システムは、サーバ２が受信した及び読み出した全ての体調データから各要素毎のグラフを体調推移データとして生成し（体温の要素のグラフを示す図６参照）、受信した体調データを含む一定期間曲線を現体調曲線α´とし、この現体調曲線α´と最も等価な曲線βｘ´を体調推移データの中から検出し、検出した最も等価な曲線βｘ´の延長上の曲線γ´を参照することで、これから先の体調の変化の度合を含めた体調予想をグラフィカルに行うこともできる。
【００２４】
また、前記第１の実施形態に係る体調維持補助システムにおいて、サーバ２が体調推移データから女性の安全日又は危険日を判別し、その判別結果を判別結果に付加することもできる。
また、前記第１の実施形態に係る体調維持補助システムにおいて、サーバ２が判別結果を登録している配偶者等の近親者などに送信することもできる。
また、前記第１の実施形態に係る体調維持補助システムにおいて、利用者の了承を得た上で、サーバ２が体調データを個人情報の内個人を特定できる氏名、識別ＩＤを削除して出力することもでき、出力されたデータを大学等の研究機関が研究データとして利用することができる。
【００２５】
また、前記第１の実施形態に係る体調維持補助システムにおいて、サーバ２が判別結果に基づいてどのような対処するべきかのアドバイスを判別結果に付加することもできる。
また、前記第１の実施形態に係る体調維持補助システムにおいて、サーバ２が判別結果に基づいてどのような対処するべきかのアドバイスを判別結果に付加すると共に、病院、薬局、オンラインショップ等の店舗情報を送信することもできる。ここで、店舗情報上の病院、薬局、オンラインショップを使用することでポイントを得ることができ、ポイントに応じて本システムの利用料を減額することもできる。
また、前記第１の実施形態に係る体調維持補助システムにおいて、サーバ２が多数の使用者により送信された体調データに基づいて健康状態に関する順位を決定することもできる。ここで、性別毎、年齢別毎に順位を決定することもできる。
【００２６】
また、前記第１の実施形態に係る体調維持補助システムにおいて、携帯端末１に全地球測位システムのレシーバを備え、全地球測位システムを用いて利用者の移動量を常時計算し、この移動量により運動量を求めて体調データに付加してサーバ２に送信し、サーバ２がこの運動量も含めて体調予想をすることもできる。ここで、利用者が摂っている食事内容を携帯端末１に入力してサーバ２に送信し、サーバ２が受信した食事内容からカロリー値を求め、求めたカロリー値と運動量に基づいて理想的な食事内容や運動を補助情報として携帯端末１に送信し、携帯端末１が補助情報を利用者に表示することもできる。
また、前記第１の実施形態に係る体調維持補助システムにおいて、サーバ２が送信された体調データに基づいて、自動車運転、トレーニング、飲酒等の各種行動を控えた方がよいか否かの控制情報を携帯端末１に送信し、携帯端末１が補助情報を利用者に表示することもできる。
さらにまた、前記いずれかに記載の体調維持補助システムは、携帯端末１をサービスを受ける者の住居に設置し（この場合に携帯端末に限定されず、単に端末装置で足りる。）、サーバ２から在宅した状態で介護サービスを受けることもできる。
【００２７】
【発明の効果】
以上のように本発明においては、利用者が端末装置を利用して体調データを生成してサーバに送信し、サーバが受信した体調データと既に格納されている体調データとを時系列的に編集し、時系列的に編集された複数の体調データから体調推移データを生成し、この体調推移データにより受信した体調データに基づいて体調予想を行って、この体調予想を端末装置に送信しているので、利用者は任意の場所で任意の時間に体調データを端末装置から入力してサーバに問い合わせて体調予想を請うことができるという効果を奏する。
【００２８】
また、本発明においては、利用者が端末装置を利用して体調データを生成してサーバに送信し、サーバが受信した体調データと既に格納されている体調データとを時系列的に編集し、時系列的に編集された複数の体調データから体調推移データを生成し、この体調推移データにより受信した体調データに基づいて体調予想を行って、この体調予想を端末装置に送信すると共に任意の送信先に送信しているので、利用者は任意の場所で任意の時間に体調データを端末装置から入力してサーバに問い合わせて体調予想を請うことができると共に、任意の送信先に医療機関を含めることで、体調データ及び体調予想を医療機関に送信して専門家の意見を聞くことができるという効果を有する。
【００２９】
また、本発明においては、サーバが利用者の体調データ以外に本システムを利用する他の利用者のうち利用者に体格、年齢、性別等に関して近い他の利用者の体調データを用いて体調予想しているので、本システムを利用したばかりで自己の体調データの蓄積が少ない場合に比較的信頼性の高い体調予想を利用者が得ることができ、さらに、利用者の体調データ及び他の利用者の体調データを用いることにより一層の信頼性の高い体調予想を利用者が得ることができるという効果を有する。
【００３０】
また、本発明においては、全地球測位システムのレシーバを備えた端末装置により、全地球測位システムを用いて運動量を求めることができるので、予め所定の運動量を行う前の体調データを端末装置により入力し、所定の運動量を行った後の体調データをも端末装置により入力し、運動量及び運動前後の体調データにより体調の良し悪しを詳細に知ることができ、さらに、サーバが体調予想を行う場合に前記運動量を使用することでより一層精確な体調予想を行うことができるという効果を有する。
【図面の簡単な説明】
【図１】本発明の第１の実施形態に係る体調維持補助システムの全体ブロック図である。
【図２】本発明の第１の実施形態に係る体調維持補助システムにおける体調データである。
【図３】本発明の第１の実施形態に係る体調維持補助システムにおける体調推移データである。
【図４】本発明の第１の実施形態に係る体調維持補助システムの動作フロチャートである。
【図５】本発明の第１の実施形態に係る体調維持補助システムの判別処理の詳細動作フロチャートである。
【図６】本発明のその他の実施形態に係る体調維持補助システムにおける体調推移データのグラフである。
【符号の説明】
１  携帯端末
１１  体温センサ
１２  カメラ
１３  脈拍センサ
２  サーバ
２１  制御部
２２  通信部
２３  データベース
３  中継局
α  現体調データ群
β  過去体調データ群
βｘ  最も近似する過去体調データ群
γ  最も近似する過去体調データ群βｘの中で最新日付を有する体調データの次の体調データ
α´  現体調曲線
βｘ´  最も等価な曲線
γ´  最も等価な曲線βｘ´の延長上の曲線
【図１】
0004015462.tif 000002
【図２】
0004015462.tif 000003
【図３】
0004015462.tif 000004
【図４】
0004015462.tif 000005
【図５】
0004015462.tif 000006
【図６】
0004015462.tif 000007